(57)【特許請求の範囲】
【請求項１】
反応種ないしは反応前駆体を溶解した原料液体を霧化する霧化装置であって、
前記原料液体を収容した原料容器と、
前記原料容器と当接して配置され、超音波を伝達し脱気された伝達液体で満たされた密閉容器と、
前記原料容器に対し前記密閉容器内の前記伝達液体を介して前記超音波を照射する超音波発生部と、
前記伝達液体を循環させる密閉された循環経路を有し、
前記循環経路は、前記伝達液体の温度を所定の温度に調整する温度調整手段と、前記密閉容器内の圧力を制御する圧力調整手段と、前記伝達液体を脱気する脱気機構を備えていることを特徴とする霧化装置。
【請求項２】
前記原料容器の前記密閉容器と当接する当接部が薄く形成され、前記超音波は前記当接部を経由して前記原料容器内の前記原料液体に照射されることを特徴とする請求項１に記載の霧化装置。
【請求項３】
前記原料容器と前記密閉容器の間に配置される薄膜を有し、前記超音波は前記薄膜を経由して前記原料容器内の前記原料液体に照射されることを特徴とする請求項１に記載の霧化装置。
【発明の詳細な説明】
【技術分野】
【０００１】
本発明は、反応種ないしは反応前駆体を含む原料液体を霧化し、成膜、エッチング等に用いられる霧化装置であって、超音波により原料液体を霧化する装置に関するものである。
【背景技術】
【０００２】
従来の霧化装置は、原料液体を収容した原料容器の底面壁を解放水槽中の水等の伝達液体に浸し、該解放水槽の内に配置された超音波振動子から超音波を容器の底面壁方向に、解放水槽中の伝達液体を伝搬させて照射する構成としている（たとえば特許文献１）。この構成によれば、超音波振動子から照射された超音波は、解放水槽内の伝達液体を伝播した後、原料容器の底面壁を透過して、原料容器内の原料液体に伝播することによって、原料液体を超音波により霧化することができる。
【０００３】
しかしながら、原料容器の底面壁には、超音波の振動により発生する粗密波により伝達液体から微小な気泡が発生する。このため、原料容器の底面壁を凸湾曲状としたり（特許文献２）、底面部が平坦な原料容器の樹脂薄膜を傾斜させたりし（特許文献３）、気泡を底面壁から移動させて放出し、底面壁の気泡を排除している。
【先行技術文献】
【特許文献】
【０００４】
【特許文献１】特開２００５−３０７２３８号公報
【特許文献２】登録実用新案第３００９５０５号公報
【特許文献３】特開２００５−３０５２３３号公報
【発明の概要】
【発明が解決しようとする課題】
【０００５】
上記従来技術のように、原料容器の底面壁を解放容器中の伝達液体に浸す形態では、気泡の発生を抑制することができない。気泡は、伝達液体中の溶残気体に起因するものであり、超音波により伝達液体中に粗密波が発生することで、伝達液体中の溶残気体が発泡して発生する。気泡の発生は、超音波のエネルギーを消費すると同時に、伝達液体中に存在する気泡が緩衝材として働くため、超音波の減衰を速める。
【０００６】
原料容器を解放容器の伝達液体に浸す形態では、伝達液体中の溶残気体が発泡すると同時に、雰囲気との接触があるため、伝達液体の溶残気体をなくすことはできない。
【０００７】
このため、伝達液体の溶残気体量が常に不安定であり、伝達液体の温度により超音波の伝達速度が変わるなど、原料液体を収容する原料容器に一定条件で超音波を伝達できない。
【０００８】
また、通常の水槽中では、超音波が伝達液体中を伝搬することにより、伝達液体の温度は上昇し、伝達液体の温度を一定に保つことはできない。これにより、伝達液体の温度が、原料容器や薄膜を経由して原料液体にも伝わるため、原料液体の温度は、伝達液体の温度に従い、長期間、温度を一定に維持することは難しい。原料液体の温度が変化した場合、原料液体の粘性、表面張力の変化などから、一定の霧化条件を得ることは難しくなる。例えば、原料液体の温度が上昇した場合、粘度は低下し、表面張力も低下するため、霧化量は増加する。
【０００９】
また、原料容器の一部に薄膜を形成し、伝達液体と原料液体を仕切ると同時に、前記薄膜を超音波が透過することにより、原料液体に超音波を伝達する構成とした場合、前記薄膜は、効率的に超音波を伝達するために、適切な張力で貼られている必要がある。しかしながら、薄膜を一定の張力で固定しても、張力を掛けた状態で固定した場合は変形による張力変化が発生し、長期間継続的に一定張力を維持することは困難である。
【００１０】
この結果、超音波振動子で発生した超音波は、伝達液体中での減衰量が大きく、原料容器中の原料液体に効率的に伝搬しにくいという問題がある。
【００１１】
本発明は、上記問題点に鑑み、超音波振動子で発生した超音波を、長期間にわたり安定的に原料容器中の原料液体に伝搬する霧化装置を提供することを目的としている。
【課題を解決するための手段】
【００１２】
本発明の霧化装置は、原料液体を収容した原料容器と、原料容器と当接して配置され、超音波を伝達し脱気された伝達液体で満たされた密閉容器と、原料容器に対し密閉容器内の伝達液体を介して超音波を照射する超音波発生部と、伝達液体を循環させる密閉された循環経路を有し、循環経路は、伝達液体の温度を所定の温度に調整する温度調整手段と、密閉容器内の圧力を制御する圧力調整手段と、伝達液体を脱気する脱気機構を備えていることを特徴とする。
【発明の効果】
【００１３】
本発明によれば、超音波振動子で発生した超音波を、長期間にわたり安定的に原料容器中の原料液体に伝搬する霧化装置を提供することができる。
【図面の簡単な説明】
【００１４】
【図１】第１の実施形態のミストエッチング装置の概略断面図である。
【図２】第１の実施形態のミストエッチング装置の変形例の概略断面図である。
【図３】第２の実施形態のミストエッチング装置の概略断面図である。
【図４】第３の実施形態のミストエッチング装置の概略断面図である。
【図５】第４の実施形態のミストエッチング装置の概略断面図である。
【発明を実施するための形態】
【００１５】
＜第１の実施形態＞
本発明に係る好適な第１の実施形態をミストエッチング装置の例で、図面を参照しながら説明する。
図１は、本発明に係るミストエッチング装置の概略断面図である。ミストエッチング装置１は、原料液体６を霧化するミスト生成部２（霧化装置の一例）と、基板や基板上に形成された薄膜をエッチングするエッチング部３とから構成される。ミスト生成部２とエッチング部３は連結管４により相互に連結されている。ここで、原料液体とは、反応種又は反応前駆体を溶解した液体で、たとえばエッチング液である。
【００１６】
ミスト生成部２は、原料液体６を収容する原料容器５と、原料容器５に付設され伝達液体８を収容する密閉容器７と、超音波を発生させ原料液体６に照射する超音波振動子７１（超音波発生部の一例）と、伝達液体８を循環させ伝達液体８の温度を調整する循環経路９（温度調整手段の一例）を備えている。
【００１７】
原料容器５は、ガラス製の円筒５１と、円筒５１の密閉容器７と当接する底面部に配置され底面を封止するポリエチレン等の合成樹脂薄膜５２（薄膜の一例）、円筒５１の上面部に配置され原料液体６を霧化したミストを取り出し、ミスト生成部２を連結管４を介してエッチング部３に連結するフランジ５３で構成している。合成樹脂薄膜５２は、一定の張力が与えられた状態で原料容器５の底部に固定されている。なお、合成樹脂薄膜５２を用いる代わりに、原料容器５の密閉容器７と当接する底面壁の一部または全部を、超音波振動子７１から発生した超音波が透過できる程度に薄く形成してもよい。
【００１８】
密閉容器７は、内径が原料容器５の内径と等しく底部が底面壁７４で封止された円筒形の容器である。原料容器５の下端と密閉容器７の上端は当接して配置され、密閉容器７の上端は合成樹脂薄膜５２で封止される。そのため、伝達液体８は密閉容器７の中に雰囲気に接触することなく密閉される。伝達液体８は、たとえば水等の超音波を伝達可能な液体である。
【００１９】
超音波振動子７１は、密閉容器７の合成樹脂薄膜５２に対向する位置に配置されている。超音波振動子７１は、本実施形態では、周波数が2.4MHzのものを用い、伝達液体８が超音波振動子７１の冷却液も兼ねている。原料液体６がミスト化される量は、超音波振動子７１に印加する電力量によって適宜調節される。
【００２０】
超音波振動で７１の配置位置は、図１に示した位置には限らず、伝達液体８を介して原料液体６に超音波を照射できる位置であればよい。たとえば、図２に示すように密閉容器５の側壁に配置することでもできる。
【００２１】
循環経路９は、伝達液体８を安定的に供給するための前段容器９２、循環経路内９の伝達液体８の温度を一定とする伝達液体温度調整部９３、配管９７、９８で構成されている。
【００２２】
循環経路９は密閉され、伝達液体８によって満たされている。
【００２３】
伝達液体８は、図示していない脱気装置により脱気され、印加される超音波により気泡が発生しない状態としている。脱気された伝達液体８は、前段容器９２内に注ぎこまれ、ポンプ９１を作動し、前段容器９２に付設される空気抜き（図示せず）から気体を抜きながら、循環経路９中を満たし、密閉容器７内の気泡を無くし雰囲気と接触しないようにして密閉する。
【００２４】
また、前段容器９２を密閉せず、伝達液体８の液面にフロート式の板等を設置し、液面の雰囲気への接触を少なくして、伝達液体８の脱気状態を維持しても良い。
【００２５】
ここで、伝達液体８の脱気の方法としては、真空を発生するポンプやエジェクター等を使用して真空下で脱気する方法や、長時間超音波を印加する方法を用いることができる。
【００２６】
また、図示はしていないが、中空糸膜等の静的な脱気機構、旋回流による脱気機構、真空を発生するポンプやエジェクター等により、配管９７、９８のインラインで常時脱気がなされる形態としてもよい。
【００２７】
伝達液体温度調整部９３は、恒温槽９５内に収容され温度調整された水９６に、配管９８の一部９８ｃを浸し、伝達液体８の温度を一定とする形態をとっている。しかしながら、伝達液体８を密閉された状態で、温度調整できる機構であれば、ペルチェ素子のような固体機構を配管９７、９８に接触させた機構でもよく、前段容器９２を恒温槽として温度調整してもよく、形態を問うものではない。また、本実施形態では、伝達液体温度調整部９３の位置を前段容器９２の上流としているが、循環経路９内で効果的に温度調整できる位置であれば、配置を問うものでもない。
【００２８】
配管９７の一端９７ａは、密閉容器７に接続され、他端９７ｂは前段容器９２の内部に配置され開放されている。配管９８の一端９８ａは密閉容器８の配管９７が接続されている位置に対向する位置に接続され、他端９８ｂは前段容器９２の内部に配置され開放されている。配管９７の中央付近には伝達液体８を送出するポンプ９１が設けられている。配管９８の一端９８ａの近傍には密閉容器７内の圧力を制御するためのニードルバルブ９４（圧力調整手段の一例）が設けられている。配管９８の一部９８ｃはらせん状に加工され、恒温水槽９５の内部に貯留され一定の温度に保たれている水９６に浸潤するように配置されている。
【００２９】
ポンプ９１を作動させると、密閉容器７内の伝達液体８は、一端９８ａから配管９８に流入し、ニードルバルブ９４、恒温槽９３に配置された一部９８ｃを経て移送され他端９８ｂから前段容器９２に流出する。前段容器９２内の伝達液体８は、配管９７の他端９７ｂから配管９７に流入しポンプ９１を経由して一端９７ａから伝達容器８内に流出する。すなわち、伝達液体８は、密閉容器７と循環経路９に密閉された状態で、伝達液体温度調整部９３により所定の温度に調整されながら図１の矢印Ａに示すように反時計回りに循環する。
【００３０】
本実施形態では、ニードルバルブ９４を密閉容器７の下流側に設置し、密閉容器７に付設される圧力計７２を基に、密閉容器７内の圧力を制御する形態をとっている。ここで、ポンプ９１が、ＡＣモーターを使用したポンプであれば、インバータ等により、伝達液体８の圧力を調整してもよく、伝達液体８を密閉された状態で、密閉容器内７の圧力を調整できる機構であれば、機構の形態を問うものではない。これにより、密閉容器７内の伝達液体８の圧力を所望の圧力に維持することで合成樹脂薄膜５２に所望の張力を与えることができ、合成樹脂薄膜５２の張力による変形に対しても対応できるため、長期間にわたり合成樹脂薄膜５２の設置状態を維持できる。
【００３１】
ここで、好適には、循環経路９の一部に、蛇腹状のフレキシブルチューブ（図示せず）やゴム球（図示せず）等を使用し、密閉容器７内の圧力変化に対応した密閉された伝達液体８の圧力の緩和を行うとよい。伝達液体８を循環状態と循環停止状態では、合成樹脂薄膜５２の張り方で伝達液体８が密閉された循環経路９内の体積が若干異なる。このため、常時、伝達液体８の容積に合わせた循環経路９の体積調整できるようにした。
【００３２】
なお、伝達液体８の温度変動が小さく許容できる範囲内である場合は、循環経路９等の温度調整手段を設けなくてもよい。
【００３３】
ミスト生成部２を使用すると、ナノオーダーからマイクロオーダーサイズの微細なミスト粒子を効率的に生成することができるとともに、ミストの発生量を調節することができる。生成されたナノオーダーからマイクロオーダーのミスト粒子は速度を持たない、つまり空間に滞留可能であるため、速度を付与して整流することができる。
ミスト生成部２によりミスト化された原料液体６ａ（以下、単に「ミスト」という）は、ミスト状のままミスト排出口５４から原料容器５外に排出され、図１の矢印Ｂに示すように連結管４内をキャリアガスによってエッチング部３に搬送される。エッチング部３に導入されたミスト６ａはヒータ３３により蒸気化されてエッチングに供される。
【００３４】
キャリアガスはミスト６ａの成分であるエッチング原料と反応しないものであれば特に限定されず、例えば空気（圧縮空気）、窒素、アルゴン等が使用され、エッチング対象物により適宜変更される。
キャリアガス導入口５５は、原料容器５に設けられることが好ましく、原料液体６の液面６ｂより上方に設けられることがより好ましい。そうすることで、より効率的に生成したミスト６ａが搬送されることとなる。
【００３５】
搬送されたミスト６ａは、ミスト導入口３１を通過して処理室３４部３内に導入される。
処理室３４にはエッチング対象物１０が設置され、処理室３４は支持台１１上に載置されてエッチング処理が施される。
また、処理室３４にはキャリアガスを外部に排出するためのキャリアガス排出口３２が設けられる。キャリアガス排出口３２を設けることで、エッチングの際に生成する反応生成物が処理室３外に排出される。従って、エッチング対象物１０上への反応生成物の残留を防ぐことができる。
【００３６】
なお、ミスト６ａの供給先は、エッチング部３には限定されず、成膜装置等ミスト化された原料を必要とする任意の装置とすることができる。
【００３７】
エッチング装置１では、原料容器５に収容した原料液体６に、密閉容器７に収容された伝達液体８を介して、超音波振動子７１から超音波が印加され、原料液体６はミスト６ａとなる。伝達液体８は雰囲気に接触することなく密閉容器７に密閉されているから、伝達液体８に雰囲気中の気体が残存気体として溶け込むことがない。そのため、伝達液体７に超音波を印加しても気泡が発生することがない。
【００３８】
エッチング装置１では、原料容器５と密閉容器７は当接して配置され、その当接部には原料容器５の底面壁を兼ねる合成樹脂薄膜５２が配置されている。あるいは、原料容器５の底面を薄く形成している。そのため、超音波を効率よく原料液体６に伝達することができる。
【００３９】
エッチング装置１は、伝達液体８が密閉容器７と循環経路９を循環するように構成されている。循環経路９には伝達液体温度調整部９３が設けられ伝達液体８は所定の温度に保たれた状態で循環する。そのため、原料液体６の温度も一定に保たれ、原料液体６の粘性や表面張力も一定に保たれ、一定の霧化条件を得ることができる。
【００４０】
エッチング装置１では、循環経路９内にニードルバルブ９４が設けられ、伝達液体８の圧力を調整することができる。そのため、合成樹脂薄膜５２の張力を一定の適切な大きさに保つことができ、超音波を減衰させずに原料液体６に伝搬させることができる。
【００４１】
エッチング装置１では、伝達液体８が脱気されているので、超音波による気泡の発生を確実に防止することができる。
【００４２】
＜第２の実施形態＞
次に、本発明に係る好適な第２の実施形態をミストエッチング装置の例で、図面を参照しながら説明する。図１の第１の実施形態と同一の構成要素には同一の符号を付して説明を省略する。第１の実施形態では、伝達液体８自体を循環させて温度調整したが、第２の実施形態では伝達液体８は循環させず、所定の温度に保った冷却液体を循環させてこの冷却液体で伝達液体８を温度調整する構成とした。
【００４３】
図３は、第２の実施形態のミストエッチング装置のミスト生成部２１の概略断面図である。ミスト生成部２１には、図１の循環経路９とほぼ同様の構成の水冷経路１２が設けられている。水冷経路１２は、水１３（冷却液体の一例）を安定的に供給するための前段容器１２２、冷却経路１２内の水１３の温度を一定とする冷却液体温度調整部１２３、配管１２７、１２８、熱交換部１２９で構成されている。この場合、水１３の圧力調整をする必要はないので、配管１２８にはニードルバルブを設けていない。
【００４４】
伝達液体８は脱気され、原料容器５に密閉され、満たされている。
【００４５】
冷却液体温度調整部１２３は、恒温槽１２５に収容され温度調整された水１２６に、配管１２８の一部１２８ｃを浸し、水１３の温度を一定とする形態をとっているが、第１の実施形態と同様に、他の機構により冷却してもよいし、図３とは異なる位置に配置しても良い。
【００４６】
熱交換部１２９は、水１３が循環する経路の一部を構成するリング状の中空部材である。熱交換部１２９の内面は密閉容器７の側壁の外周面に当接して配置され、適宜パッキン等を用いて水密な構造とする。密閉容器７内の伝達液体８と熱交換部１２９内の水１３との間で熱交換が行われ、伝達液体８の温度は一定に保たれる。
【００４７】
配管１２７の一端１２７ａは、熱交換部１２９に接続され、他端１２７ｂは前段容器１２２の内部に配置され開放されている。配管１２８の一端１２８ａは熱交換部１２９の配管１２７が接続されている位置と対向する位置に接続され、他端１２８ｂは前段容器１２２の内部に配置され開放されている。配管１２７の中央付近には水１２６を送出するポンプ１２１が設けられている。
【００４８】
ポンプ１２１を作動させると、熱交換部１２９内の水１３は、一端１２７ａから配管１２８に流入し、恒温槽１２５に配置された一部１２８ｃを経て移送され他端１２８ｂから前段容器１２２に流出する。前段容器１２２内の水１３は、配管１２７の他端１２７ｂから配管１２７に流入しポンプ１２１を経由して一端１２７ａから熱交換部１２９内に流出する。すなわち、水１３は、水冷経路１２に密閉された状態で、冷却液体温度調整部１２３により所定の温度に調整されながら図３の矢印Ａに示すように反時計回りに循環する。
【００４９】
第１の実施形態の場合と同様に、伝達液体８の温度変動が小さく許容できる範囲内である場合は、水冷経路１２を設けなくてもよい。また、冷却液体として水以外の液体を用いてもよい。
【００５０】
ミスト生成部２１は、水１３が密閉容器７に当接する熱交換部１２９と水冷経路１２を循環するように構成されている。水冷経路９には冷却液体温度調整部１２３が設けられ水１３は所定の温度に保たれた状態で循環する。そのため、原料液体６の温度を一定に保ち、その粘性や表面張力を一定に保つことができ、一定の霧化条件を得ることができる。
【００５１】
＜第３の実施形態＞
次に、本発明に係る好適な第３の実施形態をミストエッチング装置の例で、図面を参照しながら説明する。図１の第１の実施形態および図２の第２の実施形態と同一の構成要素には同一の符号を付して説明を省略する。第３の実施形態は、第２の実施形態と同様の水冷経路を備えるとともに、密閉容器にシリンジを備えている。
【００５２】
図４は、第３の実施形態のミストエッチング装置のミスト生成部２２の概略断面図である。脱気された伝達液体８が密閉された密閉容器７には圧力計７２に加えて、密閉容器７と連通するシリンジ７３が設けられている。シリンジ７３のピストンを押し引きすることで、密閉容器７内の伝達液体８の圧力を調整し合成樹脂薄膜５２の張力を調整することができる。本実施例では、圧力調整手段としてシリンジを用いたが、密閉容器８内の圧力を変化させることができる機構であれば他の機構でも問題ない。
【００５３】
ミスト生成部２２は、シリンジ７３を備え伝達液体８の圧力を調整することができる。そのため、合成樹脂薄膜５２の張力を一定の適切な大きさに保つことができ、超音波を減衰させずに原料液体６に伝搬させることができる。
【００５４】
＜第４の実施形態＞
次に、本発明に係る好適な第４の実施形態をミストエッチング装置の例で、図面を参照しながら説明する。第１〜第３の実施形態と同一の構成要素には同一の符号を付して説明を省略する。第４の実施形態は、基本的には第３の実施形態と同じであるが、密閉容器１５を原料容器１４の周囲に配置し、熱交換部１３０は密閉容器１５の底部に配置している点が異なる。
【００５５】
図５は、第４の実施形態のミストエッチング装置のミスト生成部２３の概略断面図である。原料容器１４は、円筒形状である点は第３の実施形態と同様であるが、下端部が底面壁５６で封止されている点が異なる。また、原料容器１４の側面壁の下部は合成樹脂薄膜５７で構成されている。
【００５６】
密閉容器１５は、断面形状が内側の開放している溝型であり、平面形状がリング状である部材で原料容器５の側面壁の下部の全周を取り巻くように配置さている。密閉容器１５の内側は、原料容器５の側面壁の硬質の部分５８の下端と底面壁５６の外周とに当接している。当接部分は、パッキン等を用いて水密に構成している。このような構成としているので、脱気された伝達液体８は、密閉容器１５と合成樹脂薄膜５７により雰囲気に触れないように密閉される。
【００５７】
密閉容器１５には、第３の実施形態と同様に圧力計７２とシリンジ７３が設けられ、これらにより伝達液体８の圧力を調整し、合成樹脂薄膜５７の張力を調整することができる。
【００５８】
超音波振動子７１は、密閉容器１５の側面壁に、原料容器１４の中心に向かって超音波を照射するように取り付けられている。
【００５９】
水冷経路１２の基本的な構成は、図４の第３の実施形態と同様であるが、熱交換部１３０は、断面溝型のリング状の部材で、その上面が密閉容器１５の下面に当接するように配置されている。
【００６０】
ミスト生成部２３は、水１３が密閉容器７に当接する熱交換部１３０と水冷経路１２を循環するように構成されている。水冷経路９には冷却液体温度調整部１２３が設けられ水１３は所定の温度に保たれた状態で循環する。そのため、原料液体６の温度を一定に保ち、その粘性や表面張力を一定に保つことができ、一定の霧化条件を得ることができる。
【実施例】
【００６１】
以下、本発明に係るミストエッチング装置及びミストエッチング方法に関する実施例を示すことにより、本発明の効果をより明確なものとする。但し、本発明は下記実施例には限定されない。
図４に示すミストエッチング装置を使用して基板上に形成された酸化亜鉛（ＺｎＯ）の薄膜に対してエッチング処理を施した。
実施例の薄膜は、スパッタリング法により基板上に成膜（膜厚１００ｎｍ）した。
レジストパターンを夫々の薄膜に形成した後に、表１に示す条件にてミストエッチング処理を施した。尚、エッチング時間は１８０秒とした。キャリアガス及び希釈ガスに（圧縮）空気を使用した。
【００６２】
【表１】
0006721936.tif 000002
【００６３】
該実施例にて4時間の連続運転にてエッチングを実施した。連続運転においても、エッチングレート、エッチング形状に変化は見られず、安定してエッチング処理を実施できた。
【符号の説明】
【００６４】
１  ミストエッチング装置、２  ミスト生成部（霧化装置）、  ３  エッチング部、４  連結管、５，１４  原料容器、６  原料液体、７，１５  密閉容器、８  伝達液体、９  循環経路（温度調整手段）、１２  水冷経路（温度調整手段）、５２，５７  合成樹脂薄膜（薄膜）、７１  超音波振動子（超音波発生部）、７３  シリンジ（圧力調整手段）、９４  ニードルバルブ（圧力調整手段）、９３  伝達液体温度調整部、１２３  冷却液体温度調整部
【図１】
0006721936.tif 000003
【図２】
0006721936.tif 000004
【図３】
0006721936.tif 000005
【図４】
0006721936.tif 000006
【図５】
0006721936.tif 000007